(57)【要約】【課題】ポール支持金具と電気機器収納用箱の筐体との取付部が変形するおそれはなく、しかも同一の金具により大きさが異なる電気機器収納用箱を支持させることができる電気機器収納用箱のポール取付構造を提供する。【解決手段】電気機器収納用箱の筐体をポール取付金具２を用いてポール１に取付ける電気機器収納用箱のポール取付構造である。ポール取付金具２は、ポール１にバンド３で締付け固定されるポール金具７を上下複数位置に取付けた垂直な支持板部４と、この支持板部４の下部に設けられた前記筐体の搭載台５と、前記筐体を前記支持板部に取り付ける筐体取付金具を備え、前記筐体取付金具３３の取付位置を、支持板部４に対して上下変更可能とした。これにより、同一の金具で大きさが異なる電気機器収納用箱を支持することができる。【選択図】図１
2015126663.tif 000002
【特許請求の範囲】
【請求項１】
電気機器収納用箱の筐体をポール取付金具を用いてポールに取付ける電気機器収納用箱のポール取付構造であって、
このポール取付金具は、ポールにバンドで締付け固定されるポール金具を上下複数位置に取付けた垂直な支持板部と、この支持板部の下部に設けられた前記筐体の搭載台と、前記筐体を前記支持板部に取り付ける筐体取付金具を備え、
前記筐体取付金具の取付位置を、支持板部に対して上下変更可能としたことを特徴とする電気機器収納用箱のポール取付構造。
【請求項２】
前記搭載台の基部に上下方向に延びるフランジ部を設け、該フランジ部で搭載台を支持板部に固定したことを特徴とする請求項１に記載の電気機器収納用箱のポール取付構造。
【請求項３】
前記支持板部の上部に、前記筐体取付金具をポール金具との間に支持板部を挟んで固定したことを特徴とする請求項２に記載の電気機器収納用箱のポール取付構造。
【請求項４】
前記フランジ部に、支持板部の側面との重なり部分を形成したことを特徴とする請求項２に記載の電気機器収納用箱のポール取付構造。
【発明の詳細な説明】
【技術分野】
【０００１】
本発明は、電気機器収納用箱を電柱その他のポールに取付けるためのポール取付構造に関するものである。
【背景技術】
【０００２】
従来、電気機器収納用箱を電柱その他のポールに取付けるためには、先ずバンド状の締付片をポールに締め付けておき、ポール支持金具が固定された電気機器収納用箱を持ち上げ、バンド状の締付片にポール支持金具を取り付ける方法が採用されていた。しかし電気機器収納用箱内に重量のある電気機器を搭載すると、ポール支持金具と電気機器収納用箱の筐体との取付部が変形するおそれがあった。
【０００３】
そこでこの変形を防止するために、特許文献１に示されるように、複数のポール支持金具の強度を考慮した補強金具を介して筐体を取付けたり、特許文献２に示されるように、筐体側面に対応する垂直辺部に筐体を載置する搭載台を設けた略Ｌ字状のポール取付金具を用いたりしていた。
【０００４】
しかしながら何れの場合にも、各種電気機器収納用箱の大きさに対応するために、各種の大きさの補強金具やポール取付金具を用意しなければならず、部品点数が増えるという問題があった。
【先行技術文献】
【特許文献】
【０００５】
【特許文献１】特開２０００−０９２６７１号公報
【特許文献２】特開２０１２−１８６９５４号公報
【発明の概要】
【発明が解決しようとする課題】
【０００６】
従って本発明の目的は上記した従来の問題点を解決し、電気機器収納用箱内に重量のある電気機器を搭載した場合にも、ポール支持金具と電気機器収納用箱の筐体との取付部が変形するおそれはなく、しかも同一の金具により大きさが異なる電気機器収納用箱を支持させることができる電気機器収納用箱のポール取付構造を提供することである。
【課題を解決するための手段】
【０００７】
上記の課題を解決するためになされた本発明は、電気機器収納用箱の筐体をポール取付金具を用いてポールに取付ける電気機器収納用箱のポール取付構造であって、このポール取付金具は、ポールにバンドで締付け固定されるポール金具を上下複数位置に取付けた垂直な支持板部と、この支持板部の下部に設けられた前記筐体の搭載台と、前記筐体を前記支持板部に取り付ける筐体取付金具を備え、前記筐体取付金具の取付位置を、支持板部に対して上下変更可能としたことを特徴とするものである。
【０００８】
なお請求項２に記載のように、前記搭載台の基部に上下方向に延びるフランジ部を設け、該フランジ部で搭載台を支持板部に固定した構造とすることが好ましい。また請求項３のように、支持板部の上部に、前記筐体取付金具をポール金具との間に支持板部を挟んで固定した構造とすることが好ましい。さらに請求項４のように、前記フランジ部に支持板部の側面との重なり部分を形成することが好ましい。
【発明の効果】
【０００９】
本発明によれば、筐体取付金具の取付位置を支持板部に対して上下変更可能としたので、一つのポール取付金具によって、複数サイズの電気機器収納用箱の筐体をポールに取付けることができる。また電気機器収納用箱の荷重を搭載台によって支持することができるので、電気機器収納用箱内に重量のある電気機器を搭載した場合にも、ポール支持金具と電気機器収納用箱の筐体との取付部が変形するおそれはない。
【００１０】
請求項２の発明によれば、搭載台の基部に上下方向に延びるフランジ部を設け、該フランジ部で搭載台を支持板部に固定したので、荷重のかかる搭載台を支持板部に強固に固定することができる。
【００１１】
請求項３の発明によれば、支持板部の上部に、筐体取付金具をポール金具との間に支持板部を挟んで固定したので、これらの各部分の板材どうしが重なり合い、この部分の強度を向上させることができる。
【００１２】
請求項４の発明によれば、フランジ部に支持板部の側面との重なり部分を形成したので、強風などの横荷重に対する強度を向上させることができる。
【図面の簡単な説明】
【００１３】
【図１】本発明の実施形態を示す全体斜視図である。
【図２】本発明の実施形態を示す分解斜視図である。
【図３】上部構造の説明図である。
【図４】上部構造の背面斜視図である。
【図５】筐体との関係を示す分解斜視図である。
【図６】筐体を取付けた状態を示す背面斜視図である。
【図７】搭載台と支持板部との関係を示す分解斜視図である。
【図８】レール部材の底面斜視図である。
【図９】レール部材の上面を切り取り、搭載台へのレール部材の取付状態を示す斜視図である。
【図１０】レール部材の取付過程を示す断面図である。
【図１１】レール部材の他の取付過程を示す断面図である。
【発明を実施するための形態】
【００１４】
以下に本発明の実施形態を説明する。
図１において、１は電柱等のポールであり、２はこのポール１に上下のバンド３，３によって取付けられるポール取付金具である。このポール取付金具２は側面視すると略Ｌ字状の形状をしており、垂直方向に延びる支持板部４と、その下部から水平方向に突出する搭載台５と、搭載台５に取付けられた２本のレール部材６とを備えている。ポール取付金具２の支持板部４の両側は、折り曲げられた側板部４ａとなっている。
【００１５】
図２〜図４に示すように、ポール取付金具２の支持板部４の裏側（ポール側）には、略コ字状のポール金具７が配置されている。このポール金具７の上面と下面は、ポール１の表面形状に対応するように円弧状に形成され、それらの間にバンド３の基部が固定されている。
【００１６】
ポール金具７の垂直面８には、左右一対のねじ孔９が形成されている。また垂直な支持板部４にも、対応するねじ孔１０が上下複数位置に形成されている。図３に示すように、これらのねじ孔９、１０を貫通させてポール金具７側からねじ１１を挿通する。
【００１７】
一方、垂直な支持板部４の表側（筐体側）には、略Ｌ字状の連結金具１２が配置され、電気機器収納用箱の筐体１６の筐体取付金具３３は筐体固定金具１７とこの連結金具１２からなる。この連結金具１２の垂直面にも一対のねじ孔１３が形成されており、ねじ１１とナット１４によって、ポール金具７と支持板部４と連結金具１２とが共締めされる。このようにして連結金具１２はポール金具７とともに支持板部４に固定されるが、ねじ孔１０が上下の複数位置に形成されているため、電気機器収納用箱の大きさに応じて筐体取付金具３３の取付け位置を変更することができる。また、筐体取付金具３３をポール金具７との間に支持板部４を挟んで固定したので、これらの各部分の板材どうしが重なり合い、この部分の強度を向上させることができる。
【００１８】
なお、ポール取付金具２の側板部４ａには小さな凹部１５が形成されており、図４のようにポール金具７の下面の段部を係合させ、より確実に固定できる構造となっている。この実施形態ではポール金具７の下面のみを側板部４ａに係合させたが、ポール金具７の側面を側板部４ａの内面に当接させ、さらに固定強度を高めることもできる。しかし取付作業性を考慮すると、通常はポール金具７の側面を側板部４ａの内面に当接させず、強風時などに水平方向の動きがあったときに当接するようにしておくことが好ましい。
【００１９】
ポール金具７は支持板部４の下部にも同様に設けられており、ポール取付金具２を上下の２か所でポール１に固定している。しかし３個以上のポール取付金具２を用いることも可能である。
【００２０】
図５、図６に示すように、電気機器収納用箱の筐体１６の側面上部には、略Ｌ字状の筐体固定金具１７が取り付けられており、その水平片にはダルマ孔１８が形成されている。図６に示すように、この水平片を連結金具１２の水平片の上に載せ、ねじ１９によって固定することができるようになっている。
【００２１】
支持板部４の下部には、図７に示すように水平方向に突出する搭載台５が固定されている。搭載台５は鋼板を逆Ｕ字状に折り曲げ形成したもので、その基部には垂直なフランジ部２０が一体に設けられている。フランジ部２０は左右両側に折り曲げ部２１を備え、図６に示すようにフランジ部２０に支持板部４の側板部４ａとの重なり部分である折り曲げ部２１を形成したので、強風などの横荷重に対する強度が向上する。フランジ部２０には上下にねじ孔２２が形成されており、支持板部４の下部に溶接された溶接ナット４ｂにボルト固定される。フランジ部２０は搭載台５を溶接して取付けた固定箇所よりも上下左右ともに延設した構造になっており、ボルト固定箇所の荷重の集中を緩和して強固に固定することができる。なお、フランジ部２０の下端部には水平規制片２４が突設されており、支持板部４の下部のスリット２５にこの水平規制片２４を挿入することにより、さらに確実な固定が可能となっている。
【００２２】
この搭載台５の上面には、電気機器収納用箱の筐体１６を支持するための２本のレール部材６が設けられている。これらのレール部材６は筐体１６の底面を支持するために上面を平坦面とする必要があり、図８に示すように断面Ｃ型の形鋼が使用されている。レール部材６を搭載台５の上面に固定するため、図９に示すように取り付けねじ２６の頭部が溶接された四角形の回転防止金具２７が用いられる。回転防止金具２７は各レール部材６に毎に２枚用いられ、各レール部材６を左右２か所で固定する。これらの回転防止金具２７は断面Ｃ型の形鋼の内部においては回転できず、取り付けねじ２６を回転不能に保持するため、図１０に示すように下側から取り付けねじ２６に対してナット２８を締め付けることによって、レール部材６を搭載台５に固定することができるものである。
【００２３】
この構造は、上側からは取り付けねじ２６を操作することができないレール部材６の取付に適した構造である。しかし、組み付けに際しては図１０に示すように、予め取り付けねじ２６を搭載台５の上面に緩く取付けて置き、その後に断面Ｃ型のレール部材６を端面から挿入してスライドさせて行く方法を採用せざるを得ないため、どの位置でレール部材６の挿入を停止すべきかが分かりにくいという問題がある。
【００２４】
この問題を解決するために、本実施形態では図９、図１０に示すように、回転防止金具２７の端部を下側に折り曲げ、垂下片２９を形成した。また断面Ｃ型のレール部材６の底面６ａには、位置規制用の段部３０を形成した。なお、回転防止金具２７の他方の端部は上方に屈曲させた立上げ片３１としてある。
【００２５】
図１０を用いてその機能を説明する。図１０の（Ａ）の右側の回転防止金具２７は、搭載台５の右側にセットされている。この状態ではナット２８は弛んだ状態にあり、回転防止金具２７は僅かに持ち上げることができる。左側の回転防止金具２７はナット２８を緩めて高く持ち上げられている。
【００２６】
この状態からレール部材６を（Ｂ）のように挿入して行く。レール部材６の底面６ａは右側の回転防止金具２７の立上げ片３１に案内されて回転防止金具２７の下側に入り、左側の回転防止金具２７はその垂下片２９がレール部材６の底面６ａの上面に乗った状態にある。
【００２７】
さらにレール部材６を挿入し、（Ｃ）のように左側の回転防止金具２７の垂下片２９がレール部材６の底面６ａから外れると、重力によって回転防止金具２７は下方に落ち込む。この状態で両方のナット２８を下方から締め付ける。位置規制用の段部３０の位置を適切に設定しておけば、回転防止金具２７が下方に落ち込む位置を正確に決定できる。このため作業者はレール部材６の挿入を停止し、ナット２８を締め付ける位置を簡単かつ正確に知ることができ、レール部材６を搭載台５の中心に位置決めすることができる。
【００２８】
なお、図１１のようにレール部材６の底面６ａの２か所に位置規制用の切り込み３２を形成しておき、図１０について説明したと同様にレール部材６を挿入し、位置決めしたうえ固定することもできる。ただし図１１の場合には、（ｃ）に示すように左側の回転防止金具２７の垂下片２９がレール部材６の右側の切り込み３２に落ち込むので、これを持ち上げたうえで更にレール部材６を挿入し、最終的に（Ｅ）の位置でナット２８を締め付けることとなる。
【００２９】
次に、電気機器収納用箱の筐体１６をポール１に取付ける手順を説明する。
先ず支持板部４の下部にポール取付金具２を取付けるとともに、支持板部４の上部に連結金具１２とポール金具７を共締めして固定する。また搭載台５に２本のレール部材６を遊嵌し、ナット２８を緩めた状態で仮固定しておく。
【００３０】
この状態でポール１の所定高さの位置に、バンド３によって支持板部４を固定する。搭載台５は支持板部４に地上で固定しておくこともできるが、重量が大きくなり作業性が悪くなる場合には、先にポール１に支持板部４を固定してから、搭載台５を支持板部４に固定しても良い。
【００３１】
次にクレーン等によって電気機器収納用箱の筐体１６を吊り上げ、筐体固定金具１７を連結金具１２の上側に載せるとともに、筐体１６の底面を２本のレール部材６に載せる。そして２本のレール部材６を調整して筐体１６を上下の２か所でポール取付金具２に固定する。なお電気機器収納用箱が軽量である場合には、地上で電気機器収納用箱の取付を行なったうえで持ち上げ、ポール１に取付けることもできる。
【００３２】
以上に説明したように、本発明では筐体取付金具３３の取付位置を支持板部４に対して上下変更可能としたので、同一の金具により大きさが異なる電気機器収納用箱を支持することができる。また本発明では電気機器収納用箱の筐体１６を搭載台５によって受ける構造としたので、電気機器収納用箱の重量が大きい場合にも筐体１６を変形させるおそれがない。
【符号の説明】
【００３３】
１  ポール
２  ポール取付金具
３  バンド
４  支持板部
４ａ  側板部
４ｂ  溶接ナット
５  搭載台
６  レール部材
６ａ  底面
７  ポール金具
８  垂直面
９  ねじ孔
１０  ねじ孔
１１  ねじ
１２  連結金具
１３  ねじ孔
１４  ナット
１５  凹部
１６  電気機器収納用箱の筐体
１７  筐体固定金具
１８  ダルマ孔
１９  ねじ
２０  フランジ部
２１  折り曲げ部
２２  ねじ孔
２２  溶接ナット
２３  水平規制片
２５  スリット
２６  取り付けねじ
２７  回転防止金具
２８  ナット
２９  垂下片
３０  位置規制用の段部
３１  立上げ片
３２  位置規制用の切り込み
３３  筐体取付金具
【図１】
2015126663.tif 000003
【図２】
2015126663.tif 000004
【図３】
2015126663.tif 000005
【図４】
2015126663.tif 000006
【図５】
2015126663.tif 000007
【図６】
2015126663.tif 000008
【図７】
2015126663.tif 000009
【図８】
2015126663.tif 000010
【図９】
2015126663.tif 000011
【図１０】
2015126663.tif 000012
【図１１】
2015126663.tif 000013